(57)【要約】【課題】手の親指を内側に曲げることに起因する肩周辺筋の緊張をなくし、身体能力の低下を抑制できるサポータを提供する。【解決手段】手の親指を挿通させる親指環11と、前記親指環11から手の平側に延び、小指球又は手首に掛け回して手の甲側に及ぶ掛け回しフラップ12と、前記親指環11から手の甲側に延びる引っ張りフラップ13とから構成され、掛け回しフラップ12の手の甲に及ぶ部分24と、前記掛け回しフラップの手の甲に及ぶ部分124に重なる引っ張りフラップ13とにそれぞれ割り当てた面ファスナー121,131により、掛け回しフラップ12及び引っ張りフラップ13を着脱自在に掛合してなり、面ファスナー121は、親指環11から伸展及び外転した親指に連続する延長線方向に延びるベルト状であるサポータ１である。【選択図】図１
2015034360.tif 000002
【特許請求の範囲】
【請求項１】
手の親指を挿通させる親指環と、
前記親指環から手の平側に延び、小指球又は手首に掛け回して手の甲側に及ぶ掛け回しフラップと、
前記親指環から手の甲側に延びる引っ張りフラップとから構成され、
掛け回しフラップの手の甲に及ぶ部分と、前記掛け回しフラップの手の甲に及ぶ部分に重なる引っ張りフラップとにそれぞれ割り当てた面ファスナーの一方及び他方により、掛け回しフラップ及び引っ張りフラップを着脱自在に掛合してなり、
面ファスナーの一方は、親指環から伸展及び外転した親指に連続する延長線方向に延びるベルト状であるサポータ。
【請求項２】
掛け回しフラップは、親指環から伸展及び外転した親指に連続する延長線方向に延びるベルト状の面ファスナーの一方を、手の甲に及ぶ部分に割り当て、
引っ張りフラップは、面ファスナーの他方を割り当てた請求項１記載のサポータ。
【請求項３】
親指環、掛け回しフラップ及び引っ張りフラップは、いずれも非伸縮性生地で構成され、相互に伸縮しないように接合された請求項１又は２いずれか記載のサポータ。
【請求項４】
親指環は、四指を挿通させる手袋本体を接合した請求項１〜３いずれか記載のサポータ。
【請求項５】
手袋本体は、掛け回しフラップに接合した請求項１〜３いずれか記載のサポータ。
【請求項６】
手袋本体は、全体又は手の平若しくは手の甲を覆う面が伸縮性生地で構成された請求項４又は５いずれか記載のサポータ。
【発明の詳細な説明】
【技術分野】
【０００１】
本発明は、運動時に使用することにより、特に肩周辺筋の緊張に起因する身体能力の低下を抑制するサポータに関する。
【背景技術】
【０００２】
手に装着されるサポータの多くは、手や指の故障部位を保護する消極目的のサポータであるが、近年、運動を促進させる働きを有するサポータ（運動促進手袋）も見られるようになって来ている。特許文献１が開示する促進サポータは、甲側面部及び掌側面部を有する手袋本体と、親指（母指）と人差し指との間を通って前記甲側面部及び掌側面部に跨がる関節制御体とからなり、前記関節制御体の指叉稜線部のねじり剛性を、甲側部及び掌側部の少なくとも一方のねじり剛性より高くしたことを特徴とする（特許文献１・［請求項２］［図６］［図７］）。
【０００３】
特許文献１が開示するサポータは、親指と人差し指との間を通って甲側面部及び掌側面部に跨がる関節制御体により、指叉稜線部で座屈現象が起きる荷重限度を高くし、親指関節運動を制御する（特許文献１・［0044］［0045］）。そして、親指関節運動を制御することによって、肘関節の回内運動や回外運動等を誘導し、先行動作としての役割を果たして身体運動を促進させたり、無意識的な先行動作により、身体運動に対する先行イメージを湧きやすくして、運動能力が最大限発揮させるようにする効果をもたらすとしている（特許文献１・［0089］（３）（４））。
【先行技術文献】
【特許文献】
【０００４】
【特許文献１】特開2006-083480号公報
【発明の概要】
【発明が解決しようとする課題】
【０００５】
身体運動に際して力を出す場合、人間は手の親指を内側に曲げる（屈曲及び内転させる）ことが多い。こうした親指を曲げる動作は、無意識によるものであり、親指を曲げる事自体は大きな負担にならないもの、少なからず肩周辺筋に緊張を与え、身体能力（特に、腕の可動域に応じた走行能力）を低下させる。特許文献１が開示するサポータは、親指関節運動を制御するが、親指を内側に曲げる動作を妨げるものではないため、肩周辺筋の緊張に起因する身体能力の低下を抑制できない。そこで、手の親指を内側に曲げることに起因する肩周辺筋の緊張をなくし、身体能力の低下を抑制できるサポータを開発するため、検討した。
【課題を解決するための手段】
【０００６】
検討の結果開発したものが、手の親指を挿通させる親指環と、前記親指環から手の平側に延び、小指球又は手首に掛け回して手の甲側に及ぶ掛け回しフラップと、前記親指環から手の甲側に延びる引っ張りフラップとから構成され、掛け回しフラップの手の甲に及ぶ部分と、前記掛け回しフラップの手の甲に及ぶ部分に重なる引っ張りフラップとにそれぞれ割り当てた面ファスナーの一方及び他方により、掛け回しフラップ及び引っ張りフラップを着脱自在に掛合してなり、面ファスナーの一方は、親指環から伸展及び外転した親指に連続する延長線方向に延びるベルト状であるサポータである。ここで、「伸展及び外転した親指に連続する延長線方向」は、伸展及び外転させて手の甲と同一面内で直立姿勢となった親指から手の甲に延長させる方向を意味する。
【０００７】
親指環から伸展及び外転した親指に連続する延長線方向に延びるベルト状の面ファスナーの一方が雄面であれば、面ファスナーの他方が雌面であり、逆に面ファスナーの一方が雌面であれば、面ファスナーの他方が雄面である。ベルト状の面ファスナーの一方は、対となる面ファスナーの他方との掛合保持に十分な幅で、親指環から伸展及び外転した親指に連続する延長線方向に延びていればよい。面ファスナーの他方は、前記面ファスナーの一方に掛合できれば形状又は大きさを問わない。
【０００８】
本発明のサポータは、手の親指を挿通させた親指環から手の平側に延び、小指球又は手首に掛け回して手の甲側に及ぶ掛け回しフラップの部分と、前記親指環から手の甲側に延びる引っ張りフラップとを重ね合わせ、手の甲側で面ファスナーにより掛合する。掛け回しフラップの手の甲に及ぶ部分と、前記掛け回しフラップの手の甲に及ぶ部分に重なる引っ張りフラップとは、重なればどちらが上でもよい。ここで、面ファスナーの一方が、親指環から伸展及び外転した親指に連続する延長線方向に延びるベルト状であるため、前記面ファスナーの掛合は、引っ張りフラップ及び親指環を介して、親指の屈曲及び内転を抑制又は防止する。
【０００９】
親指環から伸展及び外転した親指に連続する延長線方向に延びるベルト状である面ファスナーの一方は、掛け回しフラップ又は引っ張りフラップいずれに割り当ててもよい。例えば、親指環から伸展及び外転した親指に連続する延長線方向に延びるベルト状の面ファスナーの一方を、掛け回しフラップの手の甲に及ぶ部分に割り当て、面ファスナーの他方を引っ張りフラップに割り当てる構成は、親指環から手の平側に延び、小指球又は手首に掛け回して手の甲側に及ぶ掛け回しフラップの前記手の甲に及ぶ部分の親指環に対する位置関係をわずかにずらすことができる。これにより、サポータの着用者に合わせ、掛け回しフラップの手の甲に及ぶ部分に割り当てたベルト状の面ファスナーの一方が延びる方向を変更し、引っ張りフラップ及び親指環により規制される親指の対立運動方向（親指の屈伸及び内外転する方向）を調整できる。
【００１０】
逆に、親指環から伸展及び外転した親指に連続する延長線方向に延びるベルト状の面ファスナーの一方を引っ張りフラップに割り当て、面ファスナーの他方を掛け回しフラップの手の甲に及ぶ部分に割り当てる構成は、親指環から手の甲側に延びる引っ張りフラップの親指環に対する位置関係をほとんどずらすことができない。これにより、サポータの着用者を問わず、引っ張りフラップ内に設けたベルト状の面ファスナーの一方が延びる方向が親指環に対して常に一義的に特定され、引っ張りフラップ及び親指環により規制される親指の対立運動方向（親指の屈伸及び内外転する方向）がずれる虞をなくし、親指の屈曲及び内転を安定かつ強固に抑制又は防止する。
【００１１】
親指の屈曲及び内転を抑制又は防止する観点から、本発明のサポータは、親指環、掛け回しフラップ及び引っ張りフラップは、いずれも非伸縮性生地で構成され、相互に伸縮しないように接合される構成がよい。これにより、面ファスナーの掛合により引っ張りフラップの動きが抑制又は防止されると、親指環、掛け回しフラップ及び引っ張りフラップのいずれも伸縮しないので、前記引っ張りフラップに繋がる親指環を介して親指が拘束され、前記親指の屈曲及び内転が抑制又は防止される。
【００１２】
本発明のサポータは、親指環に親指を挿通し、掛け回しフラップを小指球又は手首に掛け回して引っ張りフラップを重ね、面ファスナーを掛合することで、手に装着できる。加えて、四指を挿通させる手袋本体を親指環に接合する構成するとよい。手袋本体は、四指を一体に挿通させる挿入開口と、前記四指それぞれを個別に挿通させる４つの指袋又は指挿通孔とを対向させた袋体（指袋）又は筒状体（指挿通孔）で、一部が親指環に接合されていればよい。好ましい手袋本体は、掛け回しフラップに接合した構成で、全体又は手の平若しくは手の甲を覆う面が伸縮性生地で構成されているとよい。
【００１３】
四指を挿通させた手袋本体を親指環に接合したサポータは、前記手袋本体によって親指環が支持され、特にサポータの装着に際して引っ張りフラップを掛け回しフラップに掛合させるまでの間、親指環を介して掛け回しフラップや引っ張りフラップが手からずれ落ちることを防止する。特に、手袋本体を掛け回しフラップに接合すると、掛け回しフラップが手袋本体に支えられ、手から遠く離れなくなり、手の平から手の甲へと掛け回しやすくできる。また、手袋本体の全体又は手の平若しくは手の甲を覆う面を伸縮性生地で構成すると、手袋本体を手に密着させて装着できるようになり、掛け回しフラップや引っ張りフラップのずれ落ちがより確実に防止されたり、掛け回しフラップを手の平から手の甲へと掛け回しやすくなったりする。
【発明の効果】
【００１４】
本発明のサポータは、手の親指の屈曲及び内転を抑制又は防止し、前記親指を内側に曲げることに起因する肩周辺筋の緊張をなくして、身体能力の低下を抑制できる効果を有する。これは、親指環から延びる引っ張りフラップ及び掛け回しフラップを手の甲側で重ね合わせて面ファスナーを掛合させる際、面ファスナーの一方が親指環から伸展及び外転した親指に連続する延長線方向に延びているため、前記面ファスナーの掛合により、親指環を介して親指の屈曲及び内転が抑制又は防止されることの効果である。
【００１５】
親指環から伸展及び外転した親指に連続する延長線方向に延びるベルト状の面ファスナーの一方を、掛け回しフラップの手の甲に及ぶ部分に割り当てると、掛け回しフラップをずらすことのできる範囲で親指環に対するベルト状の面ファスナーの一方の位置関係を調整でき、本発明の効果を装着者毎に最適化できる。逆に、前記ベルト状の面ファスナーの一方を引っ張りフラップに割り当てると、親指環に対するベルト状の面ファスナーの一方の位置関係を一義的に特定し、親指の屈曲及び内転が抑制又は防止される効果を安定に発揮させることができる。
【００１６】
親指環、掛け回しフラップ及び引っ張りフラップをいずれも非伸縮性生地で構成し、相互に伸縮しないように接合すれば、生地の伸縮による弛みがなくなり、面ファスナーを掛合して固定された親指環が、親指の屈曲及び内転が抑制又は防止できる効果を安定に発揮させることができる。四指を挿通させる手袋本体は、面ファスナーの掛合まで。引っ張りフラップ及び掛け回しフラップのずれ落ちを防止する。掛け回しフラップに接合した手袋本体は、前記擦れ落ち防止の効果をよりよく発揮させる。そして、手袋本体が伸縮性生地で構成されることにより、掛け回しフラップや引っ張りフラップのずれ落ちがより確実に防止されたり、掛け回しフラップを手の平から手の甲へと掛け回しやすくなったりする。
【図面の簡単な説明】
【００１７】
【図１】本発明を適用した一例であるサポータの平面図である。
【図２】引っ張りフラップを開いた本例のサポータの平面図である。
【図３】引っ張りフラップを開いた別例のサポータの図２相当平面図である。
【図４】本例のサポータの底面図である。
【図５】引っ張りフラップを開いて手に装着した直後の本例のサポータの斜視図である。
【図６】引っ張りフラップを掛け回しフラップに掛合して装着を終えた本例のサポータの斜視図である。
【図７】手に装着し終えたサポータを手の平側から見た斜視図である。
【図８】手に装着し終えたサポータを手の甲側から見た斜視図である。
【発明を実施するための形態】
【００１８】
以下、本発明を実施するための形態について図を参照しながら説明する。ここで、サポータ１の上下及び左右は、説明の便宜上、平面図（図１）における図中の上下及び左右に準拠する。例えば手の平23に向かって、親指側（図１中左側）が左側、小指側（図１中右側）が右側、四指側（図１中上側）が上側、手首側（図１中下側）が下側になる。また、手の甲24に向かった場合、上下は前述同様であるが、左右は反転し、例えば図４中左側に見える小指側が右側、図４中右側に見える親指側が左側となる。また、手２及び前記手２の各部位は、すべて図５以下を参照する。
【００１９】
本発明のサポータ１は、図１、図２及び図４に見られるように、手の親指を挿通させる親指環11、前記親指環11から手の平23側に延び、小指球又は手首に掛け回して手の甲24側に及ぶ掛け回しフラップ12、そして前記親指環11から手の甲24側に延びる引っ張りフラップ13から構成される。本例のサポータ１は、四指を挿通させる指挿通孔144を有する手袋本体14を親指環11に接合し、手袋本体14の下縁と掛け回しフラップ12の上縁とを縫着により接合しており、指なし手袋の外観を呈している。本例のサポータ１は、右手用であるが、左右対称に左手用も構成できる。
【００２０】
親指環11は、親指の基節骨（MP関節〜IP関節）に巻き付けた非伸縮性生地を縫着して構成される筒状部分である。本例の親指環11は、手の平23側に延びて親指の親指球232に及ぶ広さを有し、また手の甲24側も延びて引っ張りフラップ13を構成している。これから、本例の引っ張りフラップ１も、非伸縮性生地で構成されている。本発明のサポータ１は、掛け回しフラップに掛合させた引っ張りフラップ13によって、親指21を伸展及び外転させる方向に拘束させる必要から、親指環11と引っ張りフラップ13との位置関係や距離が固定される本例のように、一体に構成されることが望ましい。
【００２１】
掛け回しフラップ12は、上記親指環11の手の平23側に延びて親指21の親指球232に及ぶ部分の手首25寄りに縫着されたベルト状の伸縮性生地で、等幅で手首25に沿った部分123と、前記手首25に沿った部分123に連続して徐変に広幅となる手の甲に及ぶ部分124とから構成される。本例の掛け回しフラップ12は、手の甲に及ぶ部分124の上縁が、伸展及び外転した親指21に連続する延長線方向に延びている。これにより、手の甲に及ぶ部分124の上縁に沿って外面に縫着したベルト状の面ファスナーの雄面121は、伸展及び外転した親指21に連続する延長線方向に延びる。
【００２２】
引っ張りフラップ13は、既述したように、親指環11を構成する非伸縮性生地に手の甲24側を延ばして構成される平面視略三角形の部分である。本例の引っ張りフラップ13は、親指の第１中手骨を囲む広い範囲で、内面に面ファスナーの雌面131を縫着している（縫着線の図示略）。面ファスナーの雌面131は、掛け回しフラップ12の手の甲に及ぶ部分124の外面に縫着したベルト状の面ファスナーの雄面121より幅広であるため、前記ベルト状の面ファスナーの雄面121が多少位置ずれしても、必ず掛合する。
【００２３】
親指環11の開放端は、ほつれ防止のために縫着している。また、引っ張りフラップ13の上縁及び端縁は、前記親指環11の開放端同様、ほつれ防止のために縫着している。これに対し、前記引っ張りフラップ11の下縁と、前記引っ張りフラップ13の下縁に連続する掛け回しフラップ11の下縁とには、連続して縁布を縫着し、ほつれ防止を図っている。引っ張りフラップ11の下縁と掛け回しフラップ11の下縁とは、引っ張りフラップ13の開け閉めのために最も動きのある部分で、また手首25に擦れる部分でもある（後掲図６以下参照）ため、補強を兼ねて縁布を縫着している。
【００２４】
掛け回しフラップ11及び引っ張りフラップ12それぞれに設けられる面ファスナーは、互いの形状が逆の関係になったり、また雄雌が逆の関係になったりしてもよい。例えば別例のサポータ１は、図３に見られるように、掛け回しフラップ11の手の甲に及ぶ部分124の外面に広幅な面ファスナーの雌面122を設け、対する引っ張りフラップ13の上縁に沿って延びるベルト状の面ファスナーの雄面132を内面に設けている。別例のサポータ１は、上記例示（図１、図２及び図４参照）と比べ、掛け回しフラップ11及び引っ張りフラップ12それぞれに設けられる面ファスナーの形状が逆の関係で、雄雌も逆になっている。
【００２５】
本例のサポータ１は、手２に対する装着安定性（装着時のずれを抑制又は防止する性能）を向上させる観点から、親指21以外の四指22をそれぞれ挿通させる指挿入孔144を設けた手袋本体14を設けている。本例の手袋本体14は、四指22に合わせた４つの凸部を有する手の平23を覆う大きさの非伸縮性生地からなる手の平を覆う面141と、同じく四指22に合わせた４つの凸部を有する手の甲24を覆う大きさの伸縮性生地からなる手の甲24を覆う面142とを最中合わせにした構造である。
【００２６】
手袋本体14は、親指環11の手の平23側で上下に延びる側縁と手の平を覆う面141の側円とを縫着により接合し、掛け回しフラップ12の手首に沿った部分123の上縁に手の平を覆う面141の下縁を、また掛け回しフラップ12の手の甲24に及ぶ部分123の上縁に手の甲24を覆う面142の下縁を、それぞれ縫着により接合して、親指環11及び掛け回しフラップ12と一体化されている。四指22は、手の平を覆う面141及び手の甲24を覆う面142の下縁が形成する挿入開口143から差し込み、４つの開孔である指挿入孔144それぞれへ挿入する。掛け回しフラップ12は、手袋本体14の前記挿入開口143に上縁を縫着し、接合している。
【００２７】
本例の手袋本体14は、伸縮性生地である手の平を覆う面141により、手２を締め付けるように装着され、そして四指22をそれぞれの指挿入孔144に通すので、手２に対してずれることなく装着される。ここで、親指環11及び掛け回しフラップ12は、上述の通り、手袋本体14と一体化されているので、手２にずれなく装着された手袋本体14を基礎として、親指環11及び掛け回しフラップ12、そして前記親指環11を介して引っ張りフラップ11が手２に対する位置ずれが防止され、サポータ１としての装着安定性が高められている。また、掛け回しフラップ12及び引っ張りフラップ13の掛合が解除された状態でも、手袋本体14を手２に装着されて、着脱に際してサポータ１が不意に手２から落ちないようにすることができる。
【００２８】
本例のサポータ１の装着手順を説明する。サポータ１は、引っ張りフラップ13を掛け回しフラップ12との掛合を解除した状態で、手袋本体14の挿入開口143へ四指22を差し込み、図５に見られるように、前記四指22をそれぞれの指挿入孔144に通す。本例のサポータ１は、掛け回しフラップ12の上縁が手袋本体14の下縁に接合されており、手袋本体14の挿入開口143（＝環状の下縁）は、手の平23及び手の甲24を囲っているから、手袋本体14を手２に装着しただけで、掛け回しフラップ12は小指球231に掛け回されて手の甲に及ぶ部分124を手の甲24に重ねることができる。
【００２９】
手袋本体14の指挿入孔144に四指22を通したサポータ１は、手の平23及び手の甲24に密着させた手袋本体14により装着した状態となり、掛け回しフラップ12と引っ張りフラップ13とが掛合していなくても、不意に落下させない。手袋本体14は、伸縮性生地からなる手の甲24を覆う面142の収縮により密着性が確保されており、手２に対して左右に回して親指環11から延びる引っ張りフラップ13の位置を微調整できる。
【００３０】
こうして、引張りフラップ13の上縁を掛け回しフラップ12の手の甲に及ぶ部分124の上縁に揃えて、前記引張りフラップ13を掛け回しフラップ12の手の甲に及ぶ部分124に重ね、面ファスナーの雄面131をベルト状の面ファスナーの雄面121に掛合させると、図６に見られるように、サポータ１の装着が完了する。引張りフラップ13は、掛け回しフラップ12の手の甲に及ぶ部分124に重ねる際、引張りフラップ13の上縁が掛け回しフラップ12の手の甲に及ぶ部分124の上縁とずれてもよいが、掛け回しフラップ12の手の甲に及ぶ部分124の上縁を目安に重ねるとよい。
【００３１】
本例のサポータ１は、掛け回しフラップ12の手の甲に及ぶ部分124が手袋本体14を介して親指環11に位置拘束されており、四指22を指挿入孔144に通して手袋本体14を手２に装着すると、前記手の甲に及ぶ部分124の上縁が、伸展及び外転した親指21に連続する延長線方向に沿って延びる。そして、ベルト状の面ファスナーの雄面121は、前記手の甲に及ぶ部分124の上縁に沿って設けられているため、引張りフラップ13の上縁を掛け回しフラップ12の手の甲に及ぶ部分124の上縁に揃え、前記引張りフラップ13を掛け回しフラップ12の手の甲に及ぶ部分124に重ねて掛合すれば、引っ張りフラップ13が親指環11を介して親指12の屈曲及び内転を抑制又は防止できる。
【００３２】
引っ張りフラップ13は、非伸縮性生地で構成されており、図７及び図８に見られるように、伸展及び外転させて直立姿勢の親指21が屈曲及び内転することを抑制又は防止するため、前記親指21を手の甲24の延長線方向に引っ張る（図７及び図８中白抜き矢印参照）。ここで、図７及び図８中、四指22も伸展しているが、手袋本体14は四指22を拘束しておらず、前記四指22を自由に屈伸させることができる。これから、本発明のサポータ１は、曲げて力を出すために小指を曲げる（屈曲させる）こともできる。引っ張りフラップ13は、前記小指の屈曲につられて、親指21が屈曲及び内転することをも抑制又は防止する。
【符号の説明】
【００３３】
１  サポータ
11  親指環
12  掛け回しフラップ
121  ベルト状の面ファスナーの雄面（面ファスナーの一方）
122  面ファスナーの雌面（面ファスナーの他方）
123  手首に沿った部分
124  手の甲に及ぶ部分
13  引っ張りフラップ
131  面ファスナーの雌面（面ファスナーの他方）
132  ベルト状の面ファスナーの雄面（面ファスナーの一方）
14  手袋本体
141  手の平を覆う面
142  手の甲を覆う面
143  挿入開口
144  指挿入孔
２  装着者の手
21  親指
22  四指
23  手の平
231  小指球
232  親指球
24  手の甲
25  手首
【図１】
2015034360.tif 000003
【図２】
2015034360.tif 000004
【図３】
2015034360.tif 000005
【図４】
2015034360.tif 000006
【図５】
2015034360.tif 000007
【図６】
2015034360.tif 000008
【図７】
2015034360.tif 000009
【図８】
2015034360.tif 000010